(57)【特許請求の範囲】
【請求項１】
測定結果を表示する表示部を有する測定器において、
前記表示部は、有機ＥＬ素子の集合体からなる有機ＥＬ表示装置または電子ペーパにより構成され、表示面が曲面状に形成されている、
ことを特徴とする測定器。
【請求項２】
請求項１に記載の測定器において、
前記表示部は、表示素子がマトリックス状に配置されたドットマトリックス型である、
ことを特徴とする測定器。
【請求項３】
請求項２に記載の測定器において、
前記表示部には、測定結果を数値画像として表示する数値画像表示欄と、測定結果を複数本のバーセグメント画像として表示するバーセグメント画像表示欄と、測定結果を目盛画像および指針画像で表示する指針画像表示欄とが選択可能に設けられている、
ことを特徴とする測定器。
【請求項４】
請求項２に記載の測定器において、
前記表示部には、複数本の目盛セグメント画像を円環状に配置した目盛セグメント画像表示欄と、測定結果に応じた角度領域に相当する前記目盛セグメント画像を反転表示する反転画像表示欄とが設けられ、
表示分解能に応じて、前記目盛セグメント画像の間隔を切り替える目量切替手段を備えている、
ことを特徴とする測定器。
【請求項５】
請求項２に記載の測定器において、
前記表示部には、測定結果をグラフ画像として表示するグラフ画像表示欄が設けられている、
ことを特徴とする測定器。
【請求項６】
請求項１に記載の測定器において、
前記表示面は、外形が矩形形状で、かつ、矩形形状の横軸または縦軸に沿った凹円筒面状に形成されている、
ことを特徴とする測定器。
【請求項７】
請求項１に記載の測定器において、
前記表示面は、外形が矩形形状で、かつ、矩形形状の横軸または縦軸に沿った凸円筒面状に形成されている、
ことを特徴とする測定器。
【請求項８】
請求項１に記載の測定器において、
前記測定器は、円筒形状の本体と、この本体の軸方向へ移動可能に設けられたスピンドルと、このスピンドルの変位を前記表示部に表示する表示制御部とを有し、
前記本体の周面軸方向に沿って前記表示部が形成されている、
ことを特徴とする測定器。
【請求項９】
請求項１に記載の測定器において、
前記測定器は、本体と、この本体に移動可能に設けられた可動部材と、この可動部材の変位を前記表示部に表示する表示制御部とを有し、
前記表示部は、前記本体に巻取可能に収納されかつ本体から引出可能な柔軟性を有する表示シートを含んで構成されている、
ことを特徴とする測定器。
【請求項１０】
請求項９に記載の測定器において、
前記表示シートは、本体の正面側から引き出され、かつ、本体の裏面側に固定可能に構成され、
前記本体正面側の表示シートと前記本体裏面側の表示シートには同じ測定結果が表示される、
ことを特徴とする測定器。
【発明の詳細な説明】
【技術分野】
【０００１】
本発明は、測定器に関する。詳しくは、測定結果を表示する表示部を備えた測定器に関する。
【背景技術】
【０００２】
従来、距離や長さなどを測定する測定器において、測定結果を表示する表示部には、それぞれ測定器毎にデザインされたＬＣＤ（Liquid Crystal Display）が用いられている（例えば、特許文献１参照）。
例えば、ノギスの表示部では、図１６に示すように、７セグメント表示素子を５桁並設した数値表示欄１００や、「in  mm」と表示したインチ・ミリ表示欄１０１などが設けられている。
また、マイクロメータの表示部では、図１７に示すように、７セグメント表示素子を６桁並設した数値表示欄１００や、「in  mm」と表示したインチ・ミリ表示欄１０１などが設けられている。
更に、インジケータ（ダイヤルゲージ）の表示部では、図１８に示すように、７セグメント表示素子を６桁並設した数値表示欄１００、「in  mm」と表示したインチ・ミリ表示欄１０１、「○」や「△」記号で良否を表示する合否表示欄１０２、電池残量を表示する電池残量表示欄１０３などが設けられている。
【先行技術文献】
【特許文献】
【０００３】
【特許文献１】特開２００７−７８４１１号公報
【発明の概要】
【発明が解決しようとする課題】
【０００４】
上述したように、従来の測定器の表示部には、測定器毎にデザインされたＬＣＤが用いられてきたため、表示部の共通化が難しい。また、表示デザインを変更する場合、新たにＬＣＤの再設計、再製作をしなければならないため、コストアップの要因になっていた。
また、測定器の表示部に用いられるＬＣＤは、視野角が狭い（約４０°）ため、角度によっては視認性が悪い。特に、工場などの暗所では、表示の読み取りがしずらいという課題があった。
【０００５】
本発明の目的は、従来の課題を解消し、視認性の向上が可能なうえ、コストダウンが可能な測定器を提供することにある。
【課題を解決するための手段】
【０００６】
本発明の測定器は、測定結果を表示する表示部を有する測定器において、前記表示部は、有機ＥＬ（Electro-Luminescence：エレクトロルミネッセンス）素子の集合体からなる有機ＥＬ表示装置または電子ペーパにより構成され、表示面が曲面状に形成されている、ことを特徴とする。
ここで、測定器とは、長さ、距離、角度などの物理量を測定する測定器、例えば、ノギス、マイクロメータ、インジケータ（ダイヤルゲージ）などである。
このような構成によれば、表示部が有機ＥＬ素子の集合体からなる有機ＥＬ表示装置または電子ペーパにより構成されているから、視認性の向上が可能である。特に、有機ＥＬ表示装置では、視野角が広く（１８０°近い視野角）、しかも、自発光であるから、視認性の向上が期待できる。
また、表示内容も容易に変更することができるので、複数種の表示器について表示部を共通化することができるとともに、表示デザインの変更も容易であるから、コストダウンが可能である。
【０００７】
本発明の測定器において、前記表示部は、表示素子がマトリックス状に配置されたドットマトリックス型である、ことが好ましい。
このような構成によれば、測定結果を数値表示させるだけでなく、多用なデザイン表示を行うことができる。
【０００８】
本発明の測定器において、前記表示部には、測定結果を数値画像として表示する数値画像表示欄と、測定結果を複数本のバーセグメント画像として表示するバーセグメント画像表示欄と、測定結果を目盛画像および指針画像で表示する指針画像表示欄とが選択可能に設けられている、ことが好ましい。
このような構成によれば、測定結果を数値画像として表示する数値画像表示欄と、測定結果を複数本のバーセグメント画像として表示するバーセグメント画像表示欄と、測定結果を目盛画像および指針画像で表示する指針画像表示欄とが選択可能に設けられているから、測定器の機種に応じて最適な表示欄を選択することができる。
この場合、２つ以上の表示欄を選択し、これらを同時に表示するようにすれば、例えば、数値画像表示欄と、バーセグメント画像表示欄または指針画像表示欄とを表示すれば、バーセグメント画像表示欄または指針画像表示欄によって測定結果の傾向を把握しつつ、数値画像表示欄によってその傾向を数値として把握することができる。
【０００９】
本発明の測定器において、前記表示部には、複数本の目盛セグメント画像を円環状に配置した目盛セグメント画像表示欄と、測定結果に応じた角度領域に相当する前記目盛セグメント画像を反転表示する反転画像表示欄とが設けられ、表示分解能に応じて、前記目盛セグメント画像の間隔を切り替える目量切替手段を備えている、ことが好ましい。
このような構成によれば、目盛セグメント画像表示欄に対する反転画像表示欄の領域によって、測定結果の傾向を確認することができる。
また、表示分解能に応じて、目盛セグメント画像の間隔を切り替える目量切替手段を備えているので、必要とする表示分解能に応じた表示を選択することができる。
【００１０】
本発明の測定器において、前記表示部には、測定結果をグラフ画像として表示するグラフ画像表示欄が設けられている、ことが好ましい。
このような構成によれば、例えば、測定器を移動させながら連続的に測定する場合において、連続的に測定される測定結果をグラフ画像として表示させることができるので、被測定物の傾向を把握することができる。
【００１１】
本発明の測定器において、前記表示部は、表示面が曲面状に形成されている、ことが好ましい。
一般に、表示部の表示面がフラットであると、表示面全面において外光が反射するため、視野角によっては、読み取りづらい場合がある。特に、測定器を設置した状態で読み取る場合、設置姿勢が制約されることがあるため、上記のような反射は避けられない。
本発明によれば、表示部の表示面が曲面状に形成されているから、表示面がフラットである場合に比べ、読み取りづらさを軽減できる。従って、設置姿勢が制約される環境下においても、測定結果を読み取りやすくできる。
しかも、表示部の表示基板に柔軟性のある材料、例えば、プラスチックなどを用いれば、表示面を容易に曲面状に構成することができるとともに、特に、有機ＥＬ表示装置は視野角も広いため、視認性が低下するのも防げる。
【００１２】
本発明の測定器において、前記表示面は、外形が矩形形状で、かつ、矩形形状の横軸または縦軸に沿った凹円筒面状に形成されている、ことが好ましい。
このような構成によれば、表示面の上縁または側縁が庇になって、表示面に影ができるので、視認性をより向上させることができる。
【００１３】
本発明の測定器において、前記表示面は、外形が矩形形状で、かつ、矩形形状の横軸または縦軸に沿った凸円筒面状に形成されている、ことが好ましい。
このような構成によれば、表示面が矩形形状の横軸または縦軸に沿った凸円筒面状に形成されているから、表示面に対して正面からの読み取りだけでなく、正面以外の上下方向や側方からも読み取ることができる。特に、表示面に合否判定結果を表示するようにした場合、表示部の背景色を変えることにより、例えば、測定結果が許容範囲内の場合（合格の場合）には緑色に表示し、また、測定結果が許容範囲外の場合（不合格の場合）には赤色に表示すれば、表示面に対して正面以外の角度から、表示部の色を識別するだけで、合否判定結果を認識することができる利点がある。
【００１４】
本発明の測定器において、前記測定器は、円筒形状の本体と、この本体の軸方向へ移動可能に設けられたスピンドルと、このスピンドルの変位を前記表示部に表示する表示制御部とを有し、前記本体の周面軸方向に沿って前記表示部が形成されている、ことが好ましい。
このような構成によれば、本体が円筒形状をした細長円筒形状の測定器で、測定結果をケーブルを通じて別の表示器で表示させるものであっても、本体の周面軸方向に沿って表示部を設けることができるから、測定結果を表示器だけでなく、本体の表示部からも読み取ることができる。従って、測定結果を迅速に読み取ることができるから、取扱性に優れる。
【００１５】
本発明の測定器において、前記測定器は、本体と、この本体に移動可能に設けられた可動部材と、この可動部材の変位を前記表示部に表示する表示制御部とを有し、前記表示部は、前記本体に巻取可能に収納されかつ本体から引出可能な柔軟性を有する表示シートを含んで構成されている、ことが好ましい。
このような構成によれば、表示部を、本体に巻取可能に収納されかつ本体から引出可能な柔軟性を有する表示シートによって構成したので、必要に応じて、表示シートを本体から引き出せば、表示領域を拡大することができる。従って、多くの測定情報を表示させることができる。
【００１６】
本発明の測定器において、前記表示シートは、本体の正面側から引き出され、かつ、本体の裏面側に固定可能に構成され、前記本体正面側の表示シートと前記本体裏面側の表示シートには同じ測定結果が表示される、ことが好ましい。
このような構成によれば、表示シートを、本体の正面側から引き出したのち、本体の裏面側に固定すれば、本体正面側および本体裏面側において測定結果を読み取ることができる。従って、測定姿勢によって本体の裏面側から、測定結果を読み取らなければならない測定条件下であっても、読み取りやすい。
特に、本体が本尺、可動部材がスライダによって構成されるノギスの場合では、左利き用のノギスとしても兼用できる。通常、ノギスを右手で持って操作すると、ノギスの正面が操作者に正対する姿勢になるが、左手で持って操作すると、ノギスの裏面が操作者に正対する姿勢になる。このとき、本体の裏面側からも測定結果を読み取ることができるから、左利き用のノギスとしても兼用できる。従って、左利き専用のノギスを別途作らなくても済むので、経済的に構成できる。
【図面の簡単な説明】
【００１７】
【図１】本発明の第１実施形態に係る測定器を示すブロック図。
【図２】同上第１実施形態の表示制御部および表示部を示すブロック図。
【図３】同上第１実施形態の表示部の表示例を示す図。
【図４】本発明の第２実施形態に係る測定器を示すブロック図
【図５】同上第２実施形態の表示部の表示例（通常分解能表示例）を示す図。
【図６】同上第２実施形態の表示部の表示例（分解能変更表示例）を示す図。
【図７】同上第２実施形態の表示部の表示例（指針画像表示）を示す図。
【図８】同上第２実施形態の表示部の表示例（グラフ画像表示）を示す図。
【図９】本発明に係る測定器の表示部を凹円筒面状とした例を示す図。
【図１０】本発明に係る測定器の表示部を凸円筒面状とした例を示す図。
【図１１】本発明に係る測定器において、本体周面に表示部を配置した例を示す図。
【図１２】本発明に係る測定器において、表示部を有機ＥＬ表示シートとした例を示す図。
【図１３】図１２に示す有機ＥＬ表示シートを引き出した状態を示す図。
【図１４】図１３に示す有機ＥＬ表示シートを本体裏面側に固定した状態を示す図。
【図１５】本発明に係る測定器の表示部を電子ペーパによって構成した例を示す図。
【図１６】従来ノギスの表示部の表示例を示す図。
【図１７】従来マイクロメータの表示部の表示例を示す図。
【図１８】従来インジケータの表示部の表示例を示す図。
【発明を実施するための形態】
【００１８】
［第１実施形態］
＜測定器の構成＞
図１は、第１実施形態の測定器を示している。
同測定器は、変位検出センサ１０と、変位演算部２０と、記憶部３０と、表示制御部４０と、表示部５０とを備えている。
ここで、測定器とは、本体に対して可動部材が移動し、この可動部材の移動量から被測定物の寸法を測定する測定器、例えば、ノギス、マイクロメータ、インジケータ（ダイヤルゲージ）などをいう。
【００１９】
変位検出センサ１０は、測定器の可動部材の変位量を検出する。例えば、図１６に示すノギスでは、本体としての本尺１に対する可動部材としてのスライダ２の変位量を検出する。また、図１７に示すマイクロメータでは、本体３に対する可動部材としてのスピンドル４の変位量を検出する。更に、図１８に示すインジケータ（ダイヤルゲージ）では、本体５に対する可動部材としてのスピンドル６の変位量を検出する。
なお、これらの変位検出センサ１０は、例えば、ノギスの場合、本尺１の長手方向に沿って所定のピッチで形成されたメインスケールと、このメインスケールに対向してスライダ２に設けられた検出ヘッドとからなる静電容量式エンコーダによって構成することができる。
【００２０】
変位演算部２０は、変位検出センサ１０からの信号を演算処理し、測定器の可動部材の変位量を求める。これによって求められた結果は、表示制御部４０に与えられる。
記憶部３０には、表示部５０に表示する画像データが格納されているとともに、表示制御部４０の動作を制御するプログラムなどが記憶されている。
表示制御部４０は、記憶部３０に記憶された画像データに従って表示部５０に画像を表示するとともに、変位演算部２０によって求められた測定結果を画像として表示部５０に表示する。
【００２１】
表示部５０は、図２に示すように、有機ＥＬ（Electro-Luminescence：エレクトロルミネッセンス）表示装置５０Ａによって構成されている。
有機ＥＬ表示装置５０Ａは、表示面がフラットな横長矩形状に形成された有機ＥＬパネル５１と、コラムドライバ５２と、ロウドライバ５３とから構成されている。
有機ＥＬパネル５１は、例えば、モノクロ画面から構成され、マトリックス状に配置された複数本ずつの信号線と走査線との各交点に、画素としての有機ＥＬ素子がそれぞれ配置されて構成されている。
コラムドライバ５２が信号線に、また、ロウドライバ５３が走査線に電圧を同時に印加すると、その交点に配置された有機ＥＬ素子が発光される。発光した部分が白色に、発光していない部分が黒色となる白黒の２色で画像情報が表示される。つまり、表示制御部４０が画像データに基づいて、有機ＥＬパネル５１に文字や図形などを表示させる。
ちなみに、このような有機ＥＬパネルの駆動方式は、「単純マトリックス方式」あるいは「パッシブマトリックス方式」と称されている。
【００２２】
＜測定結果の表示＞
本体に対して可動部材が移動すると、変位検出センサ１０によって本体に対する可動部材の変位量が電気信号として検出されたのち、変位演算部２０へ与えられる。変位演算部２０では、変位検出センサ１０からの検出信号を基に本体に対する可動部材の変位量を演算し、その結果を表示制御部４０へ与える。
表示制御部４０では、記憶部３０に記憶された画像データに従って表示部５０に画像を表示するとともに、変位演算部２０によって求められた測定結果を画像として表示部５０に表示する。
【００２３】
従って、測定器毎に表示部５０に表示する画像データを、記憶部３０に記憶させておけば、表示部５０を全ての測定器について共通化することができる。
例えば、測定結果を数値画像として表示する画像データ、測定結果を複数本のバーセグメント画像として表示する画像データ、測定結果を目盛画像および指針画像で表示する画像データを記憶部３０に記憶させ、これらを選択して表示部５０に表示するようにすれば、表示部５０には図３（Ａ）（Ｂ）（Ｃ）のように表示されるから、表示部５０を全ての測定器について共通化することができる。
【００２４】
ちなみに、図３（Ａ）では、測定結果を数値画像として表示する数値画像表示欄６１のみが表示部５０に表示された例である。
図３（Ｂ）は、測定結果を複数本のバーセグメント画像として表示するバーセグメント画像表示欄６２と、測定結果を数値画像として表示する数値画像表示欄６１とが、表示部５０の上下に配置表示された例である。
図３（Ｃ）は、測定結果を目盛画像および指針画像で表示する指針画像表示欄６３と、測定結果を数値画像として表示する数値画像表示欄６１とが、表示部５０の上下に配置表示された例である。
【００２５】
このように、２つ以上の表示欄が表示部５０に同時に表示されると、例えば、数値画像表示欄６１と、バーセグメント画像表示欄６２または指針画像表示欄６３とが表示されると、バーセグメント画像表示欄６２または指針画像表示欄６３によって測定結果の傾向を把握しつつ、数値画像表示欄６１によってその傾向を数値として把握することができる。
従って、このように記憶部３０に記憶された画像データを選択することにより、測定器の機種に応じて最適な表示欄を選択することができる。
【００２６】
また、表示部５０の表示内容も容易に変更することができるので、表示デザインの変更も容易であるから、コストダウンが可能である。
さらに、本実施形態では、表示部５０が有機ＥＬ素子の集合体からなる有機ＥＬパネル５１により構成されているから、視認性の向上が可能である。つまり、有機ＥＬパネル５１では、視野角が広く（１８０°近い視野角）、しかも、自発光であるから、視認性の向上が期待できる。  
【００２７】
また、有機ＥＬパネル５１は、有機ＥＬ素子がマトリックス状に配置されたドットマトリックス型であるから、測定結果を数値表示させるだけでなく、多用なデザイン表示を行うことができる。
【００２８】
［第２実施形態］
図４は、第２実施形態の測定器を示している。なお、同実施形態の説明にあたって、第１実施形態と同一構成要素については、同一符号を付し、その説明を省略する。
同測定器は、ダイヤルゲージの表示部に適用した例で、第１実施形態の測定器と同様に、変位検出センサ１０と、変位演算部２０、記憶部３０と、表示制御部４０と、表示部５０とを備えているほか、表示切替部６０が付加されている。
【００２９】
本実施形態の記憶部３０には、測定結果を数値画像として表示するとともに、複数本の目盛セグメント画像を円環状に表示し、同時に、測定結果に応じた角度領域に相当する目盛セグメント画像を反転表示する第１表示モードデータ、表示分解能に応じて、目盛セグメント画像の間隔を異なる間隔で表示する第２表示モードデータ、複数本の目盛セグメント画像を円環状に表示するとともに、測定結果に応じた角度位置に指針画像を表示する第３表示モードデータ、測定結果を数値画像として表示するとともに、測定結果をグラフ画像として表示する第４表示モードデータが記憶されている。
【００３０】
表示切替部６０は、記憶部３０に記憶されたデータのなかからいずれかのデータを表示部５０に切替表示させる。
【００３１】
いま、図５に示すように、表示部５０に、測定結果を数値画像として表示する数値画像表示欄８１、複数本の目盛セグメント画像を円環状に配置した目盛セグメント画像表示欄８２と、測定結果に応じた角度領域に相当する目盛セグメント画像を反転表示する反転画像表示欄８３とが表示されている状態、つまり、第１表示モードデータが選択されている状態とすると、目盛セグメント画像表示欄８２に対する反転画像表示欄８３の領域によって、測定結果の傾向を確認することができる。
【００３２】
この状態において、表示切替部６０によって第２表示モードデータが切替指令されると、図６に示すように、表示部５０が切替表示される。つまり、表示分解能に応じて、目盛セグメント画像の間隔が切り替えて表示される。従って、必要とする表示分解能に応じた表示を選択することができる。ここに、表示切替部６０は、表示分解能に応じて、目盛セグメント画像の間隔を切り替える目量切替手段を構成している。
【００３３】
また、表示切替部６０によって第３表示モードデータが切替指令されると、図７に示すように、表示部５０が切替表示される。つまり、複数本の目盛セグメント画像を円環状に配置した目盛セグメント画像表示欄８２と、測定結果に応じた角度位置に指針画像を表示する指針画像表示欄８４とが表示される。
従って、この表示によれば、アナログ式ダイヤルゲージに模した表示が行えるので、被測定物の形状や寸法などを、アナログ式ダイヤルゲージと同じような指針移動から測定することができる。
【００３４】
さらに、表示切替部６０によって第４表示モードデータが切替指令されると、図８に示すように、表示部５０が切替表示される。つまり、測定結果をグラフ画像として表示するグラフ画像表示欄８５と、測定結果を数値画像として表示する数値画像表示欄８１とが表示部５０の上下に表示される。
従って、この表示によれば、例えば、測定器を移動させながら連続的に測定する場合において、連続的に測定される測定結果をグラフ画像として表示させることができるので、被測定物の傾向を把握することができる。
【００３５】
＜変形例＞
本発明は、前述の実施形態に限定されるものでなく、本発明の目的を達成できる範囲での変形、改良などは本発明に含まれる。
【００３６】
前記第１実施形態では、表示部５０を、有機ＥＬ表示装置５０Ａによって、表示面がフラットな横長矩形状に形成したが、表示部５０の表示面を曲面状に形成してもよい。
例えば、図９（インジケータの例）に示すように、表示部５０の表示面を、外形が横長矩形形状で、その横長矩形形状の横軸に沿った凹円筒面状に形成してもよい。
このようにすれば、表示部５０の表示面が曲面状に形成されているから、表示面がフラットである場合に比べ、読み取りづらさを軽減できる。従って、設置姿勢が制約される環境下においても、測定結果を読み取りやすくできる。特に、表示面は、外形が矩形形状で、かつ、矩形形状の横軸に沿った凹円筒面状に形成されているから、表示面の上縁が庇になって、表示面に影ができるので、視認性をより向上させることができる。
しかも、表示基板に柔軟性のある材料、例えば、プラスチックなどを用いれば、表示面を容易に曲面状に構成することができるとともに、有機ＥＬ表示装置５０Ａは視野角も広いため、視認性が低下するのも防げる。
【００３７】
また、図１０（インジケータの例）に示すように、表示部５０の表示面を、外形が横長矩形形状で、その横長矩形形状の横軸に沿った凸円筒面状に形成してもよい。
このようにすれば、表示面が矩形形状の横軸に沿った凸円筒面状に形成されているから、表示面に対して正面からの読み取りだけでなく、正面以外の上下方向や側方からも読み取ることができる。特に、表示面に合否表示欄１０２を設けて、合否判定結果を表示するようにした場合、表示部５０の背景色を変えることにより、例えば、測定結果が許容範囲内の場合（合格の場合）には緑色に表示し、また、測定結果が許容範囲外の場合（不合格の場合）には赤色に表示すれば、表示面に対して正面以外の角度から、表示部５０の色を識別するだけで、合否判定結果を認識することができる利点がある。
なお、図９および図１０において、表示部５０の表示面を、矩形形状の横軸でなく、縦軸に沿った凹円筒面状または凸円筒面状に形成しても、同様な効果が期待できる。
【００３８】
更に、図１１に示すように、細長円筒形状の本体７と、この本体７の軸方向へ移動可能に設けられたスピンドル８と、このスピンドル８の変位を前記表示部５０に表示する表示制御部（図１，図４に示す表示制御部４０）とを有する直線変位測定器において、本体７の周面軸方向に沿って有機ＥＬ表示装置５０Ａからなる表示部５０を形成するようにしてもよい。
このようにすれば、本体７が円筒形状をした細長円筒形状の測定器で、測定結果をケーブルを通じて別の表示器で表示させるものであっても、本体７の周面軸方向に沿って表示部５０を設けることができるから、測定結果を表示器だけでなく、本体７の表示部５０からも読み取ることができる。従って、測定結果を迅速に読み取ることができるから、取扱性に優れる。
【００３９】
また、図１２〜図１４に示すマイクロメータ、つまり、本体３と、この本体３に移動可能に設けられたスピンドル４と、このスピンドル４の変位を表示部５０に表示する表示制御部（図１，図４に示す表示制御部４０）とを有するマイクロメータにおいて、表示部５０を、プラスチックなどの柔軟性を有する基板を有し、本体３内に巻取可能に収納されかつ本体３から引出可能な有機ＥＬ表示シート５５によって構成するようにしてもよい。
有機ＥＬ表示シート５５は、本体３の正面側から引き出され、かつ、本体３の裏面側に固定可能に構成されるとともに、本体３の正面側の有機ＥＬ表示シート５５と本体３の裏面側の有機ＥＬ表示シート５５には同じ測定結果が表示される。
このようにすると、表示部５０を、本体３内に巻取可能に収納されかつ本体３から引出可能な有機ＥＬ表示シート５５によって構成したので、必要に応じて、有機ＥＬ表示シート５５を、本体３の正面側から引き出したのち（図１３参照）、本体３の裏面側に固定すれば（図１４参照）、本体３の正面側および本体３の裏面側において測定結果を読み取ることができる。従って、測定姿勢によって本体３の裏面側から、測定結果を読み取らなければならない測定条件下であっても、読み取りやすい。
なお、有機ＥＬ表示シート５５を巻取式にしないで、本体３の正面から裏面に回して固定しただけの構成であってもよい。
【００４０】
なお、有機ＥＬ表示シート５５を本体３から引き出した状態において、引き出し部分を３つの領域に区画し、それぞれに同じ測定結果を表示するとともに（図１３において実線で表示された「１２３４００」と一点鎖線で表示された「１２３４００」参照）、本体３の裏面側に固定したとき、３つの領域が、本体３の正面側、上面側および裏面側に位置するように構成すれば、測定結果を、本体３の正面側、上面側および裏面側から読み取ることができる利点がある。
【００４１】
また、上述した構成（柔軟性を有する有機ＥＬ表示シート５５を本体から引き出し可能に収納した構成）を、ノギスに適用すれば、左利き用のノギスとしても兼用できる。通常、ノギスを右手で持って操作すると、ノギスの正面が操作者に正対する姿勢になるが、左手で持って操作すると、ノギスの裏面が操作者に正対する姿勢になる。このとき、本体の裏面側からも測定結果を読み取ることができるから、左利き用のノギスとしても兼用できる。従って、左利き専用のノギスを別途作らなくても済むので、経済的に構成できる利点がある。
【００４２】
上記各実施形態で説明した有機ＥＬパネル５１としては、上記例のドットマトリックス型に限らず、他の型であってもよく、また、モノクロ画像に限らず、カラー画像で表示するものであってもよい。
【００４３】
前記実施形態では、表示部５０として有機ＥＬ表示装置５０Ａを用いたが、これに限らず視認性や携帯性を保った表示媒体のうち、表示内容を電気的に書き換えできる電子ペーパ、具体的には電気泳動表示パネルであってもよい。
例えば、図１５に示すように、電気泳動表示パネル７０は、表面基材７１、共通電極７２、電気泳動層７３、画素電極７８、ＴＦＴ回路層７９、背面基材８０が順に積層されて構成されている。表面基材７１および背面基材８０は、透明な樹脂シートによって構成されている。ＴＦＴ回路層７９には、走査線駆動回路によって駆動されるＴＦＴ回路、具体的にはスイッチングトランジスタなどが設けられている。各トランジスタは、画素毎に設けられた画素電極７８に接続されている。共通電極７２は、ＩＴＯ（Indium Tin Oxid）な
どの透明な電極材によって構成され、電気泳動表示パネル７０の略全域にわたって設けられている。画素電極７８は、表示パネル７０の画素毎に設けられている。
【００４４】
電気泳動層７３は、共通電極に接着された複数のマイクロカプセル７４を備える。マイクロカプセル７４には、多数の帯電粒子を分散させた電気泳動粒子分散液７５が封入されている。電気泳動粒子分散液７５には、黒色の電気泳動粒子７６（これを黒色粒子と呼ぶ）と、白色の電気泳動粒子７７（これを白色粒子と呼ぶ）とが分散され、二色の粉体流体方式の電気泳動層が形成されている。これら黒色粒子７６および白色粒子７７は、互いに異なる極性に帯電されている。ここでは、黒色粒子７６がマイナス（負）に帯電され、白色粒子７７がプラス（正）に帯電されている。
【００４５】
マイクロカプセル７４の黒色粒子７６および白色粒子７７は、共通電極７２および画素電極７８間に電位差を生じさせることで電気泳動が行われる。
いま、画素電極７８がローレベル、共通電極７２がハイレベルの場合、その間の電位差によって共通電極７２から画素電極７８に向かう電界が発生する。すると、正に帯電した白色粒子７７が画素電極７８側に移動され、負に帯電した黒色粒子７６が共通電極７２側に移動されるため、共通電極７２の電位に比べて画素電極７８の電位が低い部分は、表面基材７１側から視認した場合、黒色に表示される。
これとは逆に、画素電極７８をハイレベル、共通電極７２をローレベルに切り換えると、電界の向きが逆転するので、表示は白色に表示される。
また、黒色表示や白色表示の状態において、電界印加が停止されると、黒色粒子７６や白色粒子７７の移動も止まり、そのままの表示色が保持される。
【００４６】
本発明は、前記実施形態で説明したノギス、マイクロメータ、インジケータに限られず、キャリパーゲージ、三次元測定器、表面性状測定器など種々の測定器に適用できる。
【産業上の利用可能性】
【００４７】
本発明は、測定結果を表示する表示部を備えた測定器、例えば、ノギス、マイクロメータ、インジケータなどに利用できる。
【符号の説明】
【００４８】
１…本尺（本体）、
２…スライダ（可動部材）、
３，５，７…本体、
４，６，８…スピンドル（可動部材）、
４０…表示制御部、
５０…表示部、
５０Ａ…有機ＥＬ表示装置、
６０…表示切替部（目量切替手段）、
６１…数値画像表示欄、
６２…バーセグメント画像表示欄、
６３…指針画像表示欄、
８１…数値画像表示欄、
８２…目盛セグメント画像表示欄、
８３…反転画像表示欄、
８４…指針画像表示欄、
８５…グラフ画像表示欄。
【図１】
0005970295.tif 000002
【図２】
0005970295.tif 000003
【図３】
0005970295.tif 000004
【図４】
0005970295.tif 000005
【図５】
0005970295.tif 000006
【図６】
0005970295.tif 000007
【図７】
0005970295.tif 000008
【図８】
0005970295.tif 000009
【図９】
0005970295.tif 000010
【図１０】
0005970295.tif 000011
【図１１】
0005970295.tif 000012
【図１２】
0005970295.tif 000013
【図１３】
0005970295.tif 000014
【図１４】
0005970295.tif 000015
【図１５】
0005970295.tif 000016
【図１６】
0005970295.tif 000017
【図１７】
0005970295.tif 000018
【図１８】
0005970295.tif 000019